(57)【要約】【課題】保守に関する報知について改善すること。【解決手段】１つの態様において、電子機器は、表示部と、自機が水没しているかを判定するための情報を測定する測定部と、前記測定部の測定結果に基づいて、前記自機が水没したかを判定する制御部とを備える。前記制御部は、前記自機が水没したと判定した場合、前記自機の保守操作を利用者に催促する報知情報を前記表示部に表示する。電子機器は、自機が水没した場合に、自機に残存する水分によって自機に故障等が発生しないように、自機のセルフメンテナンスを行うように利用者を誘導できる。【選択図】図１
2016212760.tif 000002
【特許請求の範囲】
【請求項１】
表示部と、
自機が水没しているかを判定するための情報を測定する測定部と、
前記測定部の測定結果に基づいて、前記自機が水没したかを判定する制御部と
を備え、
前記制御部は、前記自機が水没したと判定した場合、前記自機の保守操作へ利用者を誘導する保守操作の情報を前記表示部に表示する電子機器。
【請求項２】
前記測定部は、タッチスクリーン及び気圧センサの少なくとも１つを含む請求項１に記載の電子機器。
【請求項３】
画像取得部をさらに備え、
前記制御部は、
前記自機が水没したと判定した時点で前記画像取得部が動作中である場合、前記画像取得部の動作が終了後に前記保守操作の情報を前記表示部に表示する請求項１又は２に記載の電子機器。
【請求項４】
利用者による操作を検出する操作検出部をさらに備え、
前記保守操作の情報は、前記保守操作に含まれる第１の操作に対応する第１の情報、及び前記保守操作に含まれる第２の操作に対応する第２の情報を含み、
前記制御部は、
前記第１の情報を前記表示部に表示しているときに検出された前記利用者の操作が、前記第１の操作に一致するかどうかを判定し、
前記第１の操作に一致すると判定した場合、前記第２の情報を前記表示部に表示する請求項１から３のいずれか１つに記載の電子機器。
【請求項５】
前記操作検出部は、加速度センサ及びジャイロセンサの少なくとも１つを含む請求項４に記載の電子機器。
【請求項６】
表示部と、自機が水没しているかを判定するための情報を測定する測定部とを備える電子機器により実行される制御方法であって、
前記測定部の測定結果に基づいて、前記自機が水没したかを判定するステップと、
前記自機が水没したと判定した場合、前記自機の保守操作へ利用者を誘導する保守操作の情報を前記表示部に表示するステップと
を含む制御方法。
【請求項７】
表示部と、自機が水没しているかを判定するための情報を測定する測定部とを備える電子機器に、
前記測定部の測定結果に基づいて、前記自機が水没したかを判定するステップと、
前記自機が水没したと判定した場合、前記自機の保守操作へ利用者を誘導する保守操作の情報を前記表示部に表示するステップと
を実行させる制御プログラム。
【発明の詳細な説明】
【技術分野】
【０００１】
本出願は、電子機器、制御方法及び制御プログラムに関する。
【背景技術】
【０００２】
従来、情報を表示面に付着する水が検出された場合、表示面に表示される情報の表示態様を変更する電子機器がある（例えば、特許文献１参照）。
【先行技術文献】
【特許文献】
【０００３】
【特許文献１】特開２０１２−１２３７４０号公報
【発明の概要】
【発明が解決しようとする課題】
【０００４】
従来の電子機器は、保守に関する報知について改善の余地がある。
【課題を解決するための手段】
【０００５】
１つの態様に係る電子機器は、表示部と、自機が水没しているかを判定するための情報を測定する測定部と、前記測定部の測定結果に基づいて、前記自機が水没したかを判定する制御部とを備える。前記制御部は、前記自機が水没したと判定した場合、前記自機の保守操作へ利用者を誘導する保守操作の情報を前記表示部に表示する。
【０００６】
１つの態様に係る制御方法は、表示部と、自機が水没しているかを判定するための情報を測定する測定部とを備える電子機器により実行される制御方法である。前記制御方法は、前記測定部の測定結果に基づいて、前記自機が水没したかを判定するステップと、前記自機が水没したと判定した場合、前記自機の保守操作へ利用者を誘導する保守操作の情報を前記表示部に表示するステップとを含む。
【０００７】
１つの態様に係る制御プログラムは、表示部と、自機が水没しているかを判定するための情報を測定する測定部とを備える電子機器に実行させるプログラムである。前記制御プログラムは、前記測定部の測定結果に基づいて、前記自機が水没したかを判定するステップと、前記自機が水没したと判定した場合、前記自機の保守操作へ利用者を誘導する保守操作の情報を前記表示部に表示するステップとを前記電子機器に実行させる。
【図面の簡単な説明】
【０００８】
【図１】図１は、実施形態に係るスマートフォンの機能構成の例を示すブロック図である。
【図２】図２は、実施形態に係るスマートフォンにより実行させる制御の例を示す図である。
【図３】図３は、実施形態に係るスマートフォンにより実行される処理の流れを示すフローチャートである。
【図４】図４は、実施形態に係るスマートフォンにより実行される処理の流れを示すフローチャートである。
【発明を実施するための形態】
【０００９】
本出願に係る電子機器、制御方法及び制御プログラムを実施するための複数の実施形態を、図面を参照しつつ詳細に説明する。以下では、本出願に係る電子機器の一例として、スマートフォンを取り上げて説明する。
【００１０】
（実施形態）
図１を参照しつつ、実施形態に係るスマートフォン１の機能構成の一例を説明する。図１は、実施形態に係るスマートフォンの機能構成の例を示すブロック図である。以下の説明において、同様の構成要素について同一の符号を付すことがある。さらに、重複する説明は省略することがある。
【００１１】
図１に示すように、スマートフォン１は、タッチスクリーンディスプレイ２と、ボタン３と、照度センサ４と、近接センサ５と、通信ユニット６と、レシーバ７と、マイク８と、ストレージ９と、コントローラ１０と、スピーカ１１と、カメラ１２と、カメラ１３と、コネクタ１４と、加速度センサ１５と、ジャイロセンサ１６と、気圧センサ１７とを備える。なお、以下の説明において、「自機」と表記するものはスマートフォン１に対応し、単に「カメラ」と表記するものはカメラ１２又はカメラ１３に対応する。
【００１２】
タッチスクリーンディスプレイ２は、ディスプレイ２Ａと、タッチスクリーン２Ｂとを有する。ディスプレイ２Ａ及びタッチスクリーン２Ｂは、例えば、重ねて配置されてもよいし、並べて配置されてもよいし、離して配置されてもよい。タッチスクリーンディスプレイ２は、ディスプレイ２Ａとタッチスクリーン２Ｂとが重ねて配置される場合、例えば、ディスプレイ２Ａの１ないし複数の辺がタッチスクリーン２Ｂのいずれの辺とも沿っていなくてもよい。タッチスクリーンディスプレイ２は、表示部の一例である。
【００１３】
ディスプレイ２Ａは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを備えることができる。ディスプレイ２Ａは、文字、画像、記号、及び図形等のオブジェクトを表示する。ディスプレイ２Ａが表示する文字、画像、記号、及び図形等のオブジェクトを含む画面は、ロック画面と呼ばれる画面、ホーム画面と呼ばれる画面、アプリケーションの実行中に表示されるアプリケーション画面を含む。ホーム画面は、デスクトップ、待受画面、アイドル画面、標準画面、アプリ一覧画面又はランチャー画面と呼ばれることもある。ディスプレイ２Ａは、表示部の一例である。
【００１４】
タッチスクリーン２Ｂは、タッチスクリーン２Ｂに対する指、ペン、又はスタイラスペン等の接触を検出する。タッチスクリーン２Ｂは、複数の指、ペン、又はスタイラスペン等（以下、単に「指」という）がタッチスクリーン２Ｂ（タッチスクリーンディスプレイ２）に接触したときのタッチスクリーン２Ｂ上の位置（以下、接触位置と表記する）を検出することができる。タッチスクリーン２Ｂは、タッチスクリーン２Ｂに対する指の接触を、接触位置とともにコントローラ１０に通知する。ある実施形態において、タッチスクリーン２Ｂは、自機が水没しているかを判定するための情報を測定する。タッチスクリーン２Ｂは、検出方式として静電容量方式を採用する場合、自機が水没しているかの判定処理に用いる情報として、例えば、静電容量の変化量を測定する。タッチスクリーン２Ｂは、測定部の一例である。他の検出方式として抵抗膜方式又は荷重検出方式を採用する場合、タッチスクリーン２Ｂは、自機が水没しているかを判定するための情報として、例えば、電圧の大きさの変化量を測定してもよい。他の検出方式として表面弾性波方式を採用する場合、タッチスクリーン２Ｂは、自機が水没しているかを判定するための情報として、例えば、自機が発信する表面弾性波の減衰量を測定してもよい。他の検出方式として赤外線方式を採用する場合、タッチスクリーン２Ｂは、自機が水没しているかを判定するための情報として、例えば、自機が発信する赤外線光の減衰量を測定してもよい。
【００１５】
タッチスクリーン２Ｂの検出方式は、静電容量方式のみに限らず、抵抗膜方式、荷重検出方式、表面弾性波方式、及び赤外線方式等の任意の方式でよい。
【００１６】
コントローラ１０（スマートフォン１）は、タッチスクリーン２Ｂにより検出された接触、接触が検出された位置、接触が検出された位置の変化、接触が検出された間隔、及び接触が検出された回数の少なくとも１つに基づいて、ジェスチャの種別を判別する。ジェスチャは、指を用いて、タッチスクリーン２Ｂ（タッチスクリーンディスプレイ２）に対して行われる操作である。コントローラ１０が、タッチスクリーン２Ｂを介して判別するジェスチャには、例えば、タッチ、ロングタッチ、リリース、スワイプ、タップ、ダブルタップ、ロングタップ、ドラッグ、フリック、ピンチイン、及びピンチアウトが含まれるが、これらに限定されない。コントローラ１０は、ジェスチャを判別することで、ディスプレイ２Ａに表示されたオブジェクトに対する操作を検出できる。
【００１７】
ボタン３は、利用者からの操作入力を受け付ける。ボタン３の数は、単数であっても、複数であってもよい。
【００１８】
照度センサ４は、照度を検出する。照度は、照度センサ４の測定面の単位面積に入射する光束の値である。照度センサ４は、例えば、ディスプレイ２Ａの輝度の調整に用いられる。
【００１９】
近接センサ５は、近隣の物体の存在を非接触で検出する。近接センサ５は、磁界の変化又は超音波の反射波の帰還時間の変化等に基づいて物体の存在を検出する。近接センサ５は、例えば、ディスプレイ２Ａと顔とが接近したことを検出する。照度センサ４及び近接センサ５は、１つのセンサとして構成されていてもよい。照度センサ４は、近接センサとして用いられてもよい。
【００２０】
通信ユニット６は、無線により通信する。通信ユニット６によってサポートされる無線通信規格は、例えば、２Ｇ、３Ｇ、４Ｇ等のセルラーフォンの通信規格と、近距離無線の通信規格とを含んでよい。セルラーフォンの通信規格は、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＷｉＭＡＸ（登録商標）（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等を含んでよい。近距離無線の通信規格は、例えば、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等を含んでよい。ＷＰＡＮの通信規格は、例えば、ＺｉｇＢｅｅ（登録商標）を含んでよい。通信ユニット６は、上述した通信規格の例示のうちの１つ又は複数をサポートしていてもよい。
【００２１】
レシーバ７は、音出力部である。レシーバ７は、コントローラ１０から送信される音信号を音として出力する。レシーバ７は、例えば、スマートフォン１にて再生される動画の音、音楽の音、及び通話時の相手の声を出力することができる。マイク８は、音入力部であり、利用者の声等を音信号へ変換してコントローラ１０へ送信する。
【００２２】
ストレージ９は、プログラム及びデータを記憶する。ストレージ９は、コントローラ１０の処理結果を一時的に記憶する作業領域としても利用される。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００２３】
ストレージ９に記憶されるプログラムには、フォアグランド又はバックグランドで実行されるアプリケーションと、アプリケーションの動作を支援する制御プログラム（図示略）とが含まれる。アプリケーションは、例えば、フォアグランドで実行される場合、当該アプリケーションに係る画面を、ディスプレイ２Ａに表示する。制御プログラムには、例えば、ＯＳが含まれる。プログラムは、通信ユニット６による無線通信又は非一過的な記憶媒体を介してストレージ９にインストールされてもよい。
【００２４】
ストレージ９は、制御プログラム９Ａ、カメラアプリケーション９Ｂ、電話アプリケーション９Ｃ、及び設定データ９Ｚなどを記憶する。
【００２５】
タッチスクリーン２Ｂは、自機の周囲環境の変化を検出するための情報を測定する。ある実施形態において制御プログラム９Ａは、タッチスクリーン２Ｂの測定結果に基づいて、自機が水没したかを判定する機能を提供する。具体的には、制御プログラム９Ａは、タッチスクリーン２Ｂにより測定される静電容量に基づいて、自機が水没しているかを判定する機能を提供する。タッチスクリーン２Ｂにより測定される静電容量は、水中にある場合、タッチスクリーン２Ｂの各接触点における静電容量が、ある一定の値の近傍で均一となる分布を示すように変化する。このため、制御プログラム９Ａを実行するコントローラ１０は、かかる分布を検出することにより自機が水没しているかを判定できる。反対に、制御プログラム９Ａを実行するコントローラ１０は、かかる分布以外の分布を検出することにより自機の周囲環境が水中から水中以外へ変化したことを検出できる。
【００２６】
気圧センサ１７は、自機が水没しているかを判定するための情報を測定する。ある実施形態において制御プログラム９Ａは、気圧センサ１７の測定結果に基づいて、自機が水没したかを判定する機能を提供する。具体的には、制御プログラム９Ａは、気圧センサ１７により測定される気圧値の変化に基づいて、自機が水没したときの特異な変化を検出する機能を提供する。気圧センサ１７により測定される気圧値は、自機が水没すると、急激に上昇する変化を示す。このため、制御プログラム９Ａは、かかる変化の有無を検出することにより自機が水没しているか否かを判定できる。
【００２７】
制御プログラム９Ａは、自機が水没しているかを判定するに際して、タッチスクリーン２Ｂの検出結果に基づく判定結果、及び気圧センサ１７の検出結果に基づく判定結果の双方を考慮して、自機が水没しているかを判定する機能を提供してもよい。この場合、コントローラ１０は、例えば、タッチスクリーン２Ｂの検出結果に基づく判定結果、及び気圧センサ１７の検出結果に基づく判定結果の少なくとも一方から、自機が水没しているという判定結果を得た場合、自機が水没しているという判定結果を確定するプロセスを採用する。なお、制御プログラム９Ａは、タッチスクリーン２Ｂの検出結果に基づく判定結果、及び気圧センサ１７の検出結果に基づく判定結果の双方から、自機が水没しているという判定結果を得た場合、自機が水没しているという判定結果を確定するプロセスを採用してもよいし、タッチスクリーン２Ｂの検出結果に基づく判定結果を優先して自機が水没しているかを判定するプロセスを採用してもよい。
【００２８】
制御プログラム９Ａは、自機が水没したと判定した場合、自機の保守操作へ利用者を誘導する保守操作の情報をディスプレイ２Ａに表示する機能を提供する。制御プログラム９Ａは、保守操作に含まれる第１の操作に対応する第１の情報をディスプレイ２Ａに表示しているときに利用者の操作を検出する。制御プログラム９Ａは、検出した利用者の操作が第１の操作と一致するかどうかを判定し、第１の操作に一致する場合、保守操作に含まれる第２の操作に対応する第２の情報をディスプレイ２Ａに表示する機能を提供する。保守操作は、自機が水没した場合に、自機に残存する水分によって自機に故障等が発生しないように、自機のセルフメンテナンスを行うための操作である。保守操作は、１つの操作を完了するたびに次の操作に進むことが可能な段階的な複数の操作を含む。操作完了の有無は、保守操作の情報に含まれる次の操作に移るためのオブジェクトに対する操作を検出すること、ボタン３に対する操作を検出すること、及び保守操作の情報に記述された操作が利用者により実行されることの少なくとも１つに基づいて決定される。制御プログラム９Ａは、加速度センサ１５及びジャイロセンサ１６と協働して、利用者により実行された操作が、保守操作の情報を示す画面に記述された操作と一致するかどうかを判定する。
【００２９】
制御プログラム９Ａは、自機が水没したと判定した後、自機が水没していない状態である場合、保守操作の情報をディスプレイ２Ａに表示するプロセスを採用してもよい。
【００３０】
制御プログラム９Ａは、自機が水没したと判定した時点でカメラが動作中である場合、カメラの動作が終了後に保守操作の情報をディスプレイ２Ａに表示する機能を提供する。制御プログラム９Ａは、カメラの動作が終了後、自機が水没していない状態である場合に、保守操作の情報をディスプレイ２Ａに表示するプロセスを採用してもよい。
【００３１】
カメラアプリケーション９Ｂは、画像の静止画撮影、動画撮影、編集および管理等を行うための機能を提供する。
【００３２】
電話アプリケーション９Ｃは、無線通信による通話のための通話機能を提供する。
【００３３】
設定データ９Ｚは、制御プログラム９Ａなどにより提供される機能に基づいて実行される処理、及びカメラアプリケーション９Ｂなどにより提供される機能に基づいて実行される処理に用いられる各種データを含む。設定データ９Ｚは、自機が水没しているかを判定するためのデータを含む。自機が水没しているかを判定するためのデータは、水中における静電容量の変化量の分布に関する参照データ、及び水中における気圧の変化に関する参照データを含む。設定データ９Ｚは、カメラアプリケーションの各種機能を実現するためのデータを含む。
【００３４】
コントローラ１０は、演算処理装置を含む。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−Ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、およびコプロセッサを含むが、これらに限定されない。コントローラ１０は、スマートフォン１の動作を統括的に制御して各種の機能を実現する。コントローラ１０は、制御部の一例である。
【００３５】
具体的には、コントローラ１０は、ストレージ９に記憶されているデータを必要に応じて参照しつつ、ストレージ９に記憶されているプログラムに含まれる命令を実行する。そして、コントローラ１０は、データ及び命令に応じて機能部を制御し、それによって各種機能を実現する。機能部は、例えば、ディスプレイ２Ａ、通信ユニット６、マイク８、及びスピーカ１１を含むが、これらに限定されない。コントローラ１０は、検出部の検出結果に応じて、制御を変更することがある。検出部は、例えば、タッチスクリーン２Ｂ、ボタン３、照度センサ４、近接センサ５、マイク８、カメラ１２、カメラ１３、加速度センサ１５、ジャイロセンサ１６及び気圧センサ１７を含むが、これらに限定されない。
【００３６】
コントローラ１０は、制御プログラム９Ａを実行することにより、タッチスクリーン２Ｂの測定結果又は気圧センサ１７の測定結果に基づいて、自機が水没したかを判定する処理を行う。コントローラ１０は、制御プログラム９Ａを実行することにより、自機が水没したと判定した場合、自機の保守操作へ利用者を誘導する保守操作の情報をディスプレイ２Ａに表示する処理を行う。コントローラ１０は、制御プログラム９Ａを実行することにより、保守操作に含まれる第１の操作に対応する第１の情報をディスプレイ２Ａに表示しているときに利用者の操作を検出する。コントローラ１０は、検出した利用者の操作が第１の操作と一致するかどうかを判定し、第１の操作に一致する場合、保守操作に含まれる第２の操作に対応する第２の情報をディスプレイ２Ａに表示する処理を行う。コントローラ１０は、加速度センサ１５の検出結果及びジャイロセンサ１６の検出結果を用いて、利用者により実行された操作が、保守操作の情報に記述された操作と一致するかどうかを判定する。
【００３７】
コントローラ１０は、制御プログラム９Ａを実行することにより、自機が水没したと判定した時点でカメラが動作中である場合、カメラの動作が終了後に保守操作の情報をディスプレイ２Ａに表示する処理を行うこともできる。
【００３８】
図２は、実施形態に係るスマートフォンにより実行させる制御の例を示す図である。図２に示す例では、スマートフォン１が、保守操作に含まれる操作の一部について、利用者に実行された操作を検出し、検出した操作が、保守操作の情報に記述された操作と一致するかを判定する例を説明する。
【００３９】
ステップＳ１１に示すように、スマートフォン１は、自機が水没していると判定した場合、保守操作のための開始画面ＳＣ１をディスプレイ２Ａに表示する。
【００４０】
スマートフォン１の利用者は、開始画面ＳＣ１を確認後、開始画面ＳＣ１に設けられたオブジェクトＯＢ１を操作する。
【００４１】
スマートフォン１は、開始画面ＳＣ１に設けられたオブジェクトＯＢ１に対する操作を受け付ける。スマートフォン１は、前記操作を受けつけると、ステップＳ１２として、第１の情報を含む第１の画面ＳＣ２をディスプレイ２Ａに表示する。第１の情報は、保守操作のうち第１の操作に対応する。
【００４２】
利用者は、第１の操作を実践後、第１の画面ＳＣ２に設けられたオブジェクトＯＢ１を操作する。
【００４３】
スマートフォン１は、第１の画面ＳＣ２に設けられたオブジェクトＯＢ１に対する操作を受け付けると、ステップＳ１３として、第２の情報を含む第２の画面ＳＣ３をディスプレイ２Ａに表示する。第２の情報は、保守操作のうち第２の操作に対応する。第２の操作は、保守操作として、第１の操作に続いて実行すべきものとしてもよい。
【００４４】
利用者は、第２の操作を実践後、第２の画面ＳＣ３に設けられたオブジェクトＯＢ１を操作する。
【００４５】
スマートフォン１は、第２の画面ＳＣ３に設けられたオブジェクトＯＢ１に対する操作を受け付けると、オブジェクトＯＢ１に対する操作を受け付ける前に利用者により実行された操作が、第２の操作に一致するかを判定する。スマートフォン１は、利用者の操作が第２の操作に一致する場合、ステップＳ１４として、第３の情報を含む第３の画面ＳＣ４をディスプレイ２Ａに表示する。第３の情報は、保守操作のうち第３の操作に対応する。第３の操作は、保守操作として、第２の操作に続いて実行すべきものとしてもよい。
【００４６】
利用者は、第３の操作を実践後、第３の画面ＳＣ４に設けられたオブジェクトＯＢ１を操作する。
【００４７】
続いて、スマートフォン１は、第３の画面ＳＣ４に設けられたオブジェクトＯＢ１に対する操作を受け付けると、ステップＳ１５として、第４の情報を含む第４の画面ＳＣ５をディスプレイ２Ａに表示する。第４の情報は、保守操作のうち第４の操作に対応する。第４の操作は、保守操作として、第３の操作に続いて実行すべきものとしてもよい。
【００４８】
利用者は、第４の操作を実践後、第４の画面ＳＣ５に設けられたオブジェクトＯＢ１を操作する。
【００４９】
保守操作が第４の操作で完了の場合、スマートフォン１は、第４の画面ＳＣ５に設けられたオブジェクトＯＢ１に対する操作の受付をもって保守操作に関する処理を終了し、例えば、ホーム画面をディスプレイ２Ａに表示する。
【００５０】
ステップＳ１３において、スマートフォン１は、利用者により実行された操作が、第２の操作と一致しない場合、ステップＳ１６として、第２の操作が完了していない旨を示す画面ＳＣ６をディスプレイ２Ａに表示する。そして、スマートフォン１は、画面ＳＣ６に設けられたオブジェクトＯＢ１に対する操作を受け付けると、改めて、利用者により実行された操作が、第２の操作と一致するかを判定し、第２の操作と一致する場合、上記ステップＳ１４の制御に移る。
【００５１】
スピーカ１１は、音出力部である。スピーカ１１は、コントローラ１０から送信される音信号を音として出力する。スピーカ１１は、例えば、着信音及び音楽を出力することができる。レシーバ７及びスピーカ１１の一方が、他方の機能を兼ねてもよい。
【００５２】
カメラ１２及びカメラ１３は、撮影した画像を電気信号へ変換する。カメラ１２は、ディスプレイ２Ａに面している物体を撮影するインカメラである。カメラ１３は、ディスプレイ２Ａの反対側の面に面している物体を撮影するアウトカメラである。カメラ１２及びカメラ１３は、インカメラ及びアウトカメラを切り換えて利用可能なカメラユニットとして、機能的及び物理的に統合された状態でスマートフォン１に実装されてもよい。カメラ１２及びカメラ１３は、画像取得部の一例である。
【００５３】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置を含むが、これらに限定されない。
【００５４】
加速度センサ１５は、スマートフォン１に作用する加速度の方向及び大きさを検出する。ジャイロセンサ１６は、例えば、スマートフォン１の回転角度（角速度）を検出する。気圧センサ１７は、スマートフォン１に作用する気圧を検出する。加速度センサ１５及びジャイロセンサ１６は、操作検出部の一例である。気圧センサ１７は、測定部の一例である。
【００５５】
スマートフォン１は、上記の各機能部の他、ＧＰＳ受信機、及びバイブレータを備えてもよい。ＧＰＳ受信機は、ＧＰＳ衛星からの所定の周波数帯の電波信号を受信し、受信した電波信号の復調処理を行って、処理後の信号をコントローラ１０に送出することにより、スマートフォン１の現在位置の演算処理をサポートする。バイブレータは、スマートフォン１の一部又は全体を振動させる。バイブレータは、振動を発生させるために、例えば、圧電素子、又は偏心モータなどを有する。図１には示していないが、バッテリなど、スマートフォン１の機能を維持するために当然に用いられる機能部、及びスマートフォン１の制御を実現するために当然に用いられる制御部は、スマートフォン１に実装される。
【００５６】
図３及び図４を参照しつつ、ある実施形態に係るスマートフォン１により実行される処理の流れを説明する。図３及び図４は、スマートフォン１により実行される処理の流れを示すフローチャートである。図３及び図４に示す処理は、コントローラ１０が、ストレージ９に記憶されている制御プログラム９Ａを実行することにより実現される。
【００５７】
図３に示す処理は、自機が水没したとの判定に応じてコントローラ１０が実行する処理の流れに対応する。図３に示すように、コントローラ１０は、自機が水没したかを判定する（ステップＳ１０１）。
【００５８】
コントローラ１０は、自機が水没したと判定した場合（ステップＳ１０１，Ｙｅｓ）、自機が水没中であるかを判定する（ステップＳ１０２）。
【００５９】
コントローラ１０は、自機が水没中である場合（ステップＳ１０２，Ｙｅｓ）、上記ステップＳ１０２の判定を繰り返す。
【００６０】
一方、コントローラ１０は、自機が水没中ではない場合（ステップＳ１０２，Ｎｏ）、保守操作の情報をディスプレイ２Ａに表示する（ステップＳ１０３）。
【００６１】
続いて、コントローラ１０は、次の保守操作への移行条件を満足したかを判定する（ステップＳ１０４）。次の保守操作への移行条件は、保守操作の情報に含まれる次の操作に移るためのオブジェクトに対する操作を検出すること、ボタン３に対する操作を検出すること、及び保守操作の情報に記述された操作が利用者により実行されることの少なくとも１つを含む（図２参照）。
【００６２】
コントローラ１０は、次の保守操作への移行条件を満足していない場合（ステップＳ１０４，Ｎｏ）、ステップＳ１０４の判定を繰り返す。
【００６３】
コントローラ１０は、次の保守操作への移行条件を満足した場合（ステップＳ１０４，Ｙｅｓ）、次の保守操作の情報を示す画面をディスプレイ２Ａに表示する（ステップＳ１０５）。
【００６４】
続いて、コントローラ１０は、保守操作を完了したかを判定する（ステップＳ１０６）。
【００６５】
コントローラ１０は、保守操作を完了していない場合（ステップＳ１０６，Ｎｏ）、上記ステップＳ１０４の処理手順に戻る。
【００６６】
一方、コントローラ１０は、保守操作を完了した場合（ステップＳ１０６，Ｙｅｓ）、ホーム画面をディスプレイ２Ａに表示して（ステップＳ１０７）、図３に示す処理を終了する。
【００６７】
ステップＳ１０１において、コントローラ１０は、自機が水没していないと判定した場合（ステップＳ１０１，Ｎｏ）、図３に示す処理を終了する。
【００６８】
図３に示す処理は、自機が水没したと判定した後、自機が水没していないと判定した場合に保守操作の情報をディスプレイ２Ａに表示する例であるが、自機が水没したと判定してから一定時間経過後に保守操作の情報をディスプレイ２Ａに表示する処理でもよい。
【００６９】
図４に示す処理は、カメラを動作中に自機が水没したと判定したことに応じてコントローラ１０が実行する処理の流れに対応する。図４に示すように、コントローラ１０は、カメラを動作中であるかを判定する（ステップＳ２０１）。
【００７０】
コントローラ１０は、カメラが動作中である場合（ステップＳ２０１，Ｙｅｓ）、続いて、自機が水没したかを判定する（ステップＳ２０２）。
【００７１】
コントローラ１０は、自機が水没していない場合（ステップＳ２０２，Ｎｏ）、上記ステップＳ２０１の処理手順に戻る。
【００７２】
一方、コントローラ１０は、自機が水没した場合（ステップＳ２０２，Ｙｅｓ）、続いて、カメラの動作が終了したかを判定する（ステップＳ２０３）。
【００７３】
コントローラ１０は、カメラの動作が終了していない場合（ステップＳ２０３，Ｎｏ）、ステップＳ２０３の判定を繰り返す。
【００７４】
一方、コントローラ１０は、カメラの動作が終了した場合（ステップＳ２０３，Ｙｅｓ）、保守操作の情報をディスプレイ２Ａに表示する（ステップＳ２０４）。
【００７５】
続いて、コントローラ１０は、次の保守操作への移行条件を満足したかを判定する（ステップＳ２０５）。次の保守操作への移行条件は、保守操作の情報に含まれる次の操作に移るためのオブジェクトに対する操作を検出すること、ボタン３に対する操作を検出すること、及び保守操作の情報に記述された操作が利用者により実行されることの少なくとも１つを含む（図２参照）。
【００７６】
コントローラ１０は、次の保守操作への移行条件を満足していない場合（ステップＳ２０５，Ｎｏ）、ステップＳ２０５の判定を繰り返す。
【００７７】
一方、コントローラ１０は、次の保守操作への移行条件を満足した場合（ステップＳ２０５，Ｙｅｓ）、次の保守操作の情報を示す画面をディスプレイ２Ａに表示する（ステップＳ２０６）。
【００７８】
続いて、コントローラ１０は、保守操作を完了したかを判定する（ステップＳ２０７）。
【００７９】
コントローラ１０は、保守操作を完了していない場合（ステップＳ２０７，Ｎｏ）、上記ステップＳ２０５の処理手順に戻る。
【００８０】
一方、コントローラ１０は、保守操作を完了した場合（ステップＳ２０７，Ｙｅｓ）、ホーム画面をディスプレイ２Ａに表示して（ステップＳ２０８）、図４に示す処理を終了する。
【００８１】
上記ステップＳ２０１において、コントローラ１０は、カメラを動作中ではない場合（ステップＳ２０１，Ｎｏ）、図４に示す処理を終了する。
【００８２】
図４に示す処理は、カメラの動作が終了した場合に保守操作の情報をディスプレイ２Ａに表示する例を示すが、自機が水没していない状態である場合に、保守操作の情報をディスプレイ２Ａに表示する処理でもよい。
【００８３】
上記実施形態において、スマートフォン１は、自機が水没したと判定した場合、自機の保守操作へ利用者を誘導する保守操作の情報をディスプレイ２Ａに表示する。このため、実施形態に係るスマートフォン１は、自機が水没した場合に、自機に残存する水分によって自機に故障等が発生しないように、自機のセルフメンテナンスを行うように利用者を誘導できる。このようなことから、上記実施形態によれば、自機の保守に関する報知を改善した利便性の高い報知制御を実現できる。
【００８４】
上記の実施形態で説明した処理は、スマートフォン１以外にも、水中で操作することが想定される他の電子機器についても同様に適用できる。
【００８５】
本明細書では、添付の請求項に係る技術を完全かつ明瞭に開示するために特徴的な実施形態に関し記載してきた。しかし、添付の請求項は、上記の実施形態に限定されるべきものでなく、本明細書に示した基礎的事項の範囲内で当該技術分野の当業者が創作しうるすべての変形例及び代替可能な構成により具現化されるべきである。
【符号の説明】
【００８６】
１  スマートフォン
２Ａ  ディスプレイ
２Ｂ  タッチスクリーン
３  ボタン
４  照度センサ
５  近接センサ
６  通信ユニット
７  レシーバ
８  マイク
９  ストレージ
９Ａ  制御プログラム
９Ｂ  カメラアプリケーション
９Ｃ  電話アプリケーション
９Ｚ  設定データ
１０  コントローラ
１１  スピーカ
１２  カメラ
１３  カメラ
１４  コネクタ
１５  加速度センサ
１６  ジャイロセンサ
１７  気圧センサ
【図１】
2016212760.tif 000003
【図２】
2016212760.tif 000004
【図３】
2016212760.tif 000005
【図４】
2016212760.tif 000006